(57)【特許請求の範囲】
【請求項１】
浴槽の湯水を浴槽に設けた吸込み口から吸い込んで再び浴槽に設けた噴出口から噴出流として浴槽内に噴出する循環流路を設け、浴槽に複数の噴出口を設け、該循環流路にポンプを設けると共に、循環流路のポンプよりも下流側を複数の分岐流路に分岐して各分岐流路の端部をそれぞれ複数の噴出口に接続し、上記複数の分岐流路の分岐部分に複数の分岐流路への湯水の流れを選択的に切換えるための電動切換え弁装置を設け、浴槽のフランジ部のコーナ部分の下面部に木質の取付け用下地部材を接着により固着し、電動切換え弁装置を上記取付け用下地部材にねじで取付けることで吊下げ、上記浴槽のフランジ部のコーナ部分の下方の上記電動切換え弁装置の取付け部分より下方の浴槽設置用床パン上にポンプを載設し、上記電動切換え弁装置とポンプとを循環流路の一部を構成する配管により連通接続して成ることを特徴とする浴槽の機器収納構造。
【発明の詳細な説明】
【技術分野】
【０００１】
本発明は、浴槽に付属する機器を浴槽の外面側に収納するための技術に関するものである。
【背景技術】
【０００２】
従来から、浴槽の湯水を浴槽に設けた吸込み口から吸い込んで再び浴槽に設けた噴出口から噴出流として浴槽内に噴出する循環流路を設け、浴槽に複数の噴出口を設け、該循環流路にポンプを設けたジェットバスが特許文献１等により知られている。
【０００３】
上記従来例にあっては、ポンプを浴槽を設置するための浴槽設置用床パンの上に設置している。また、上記従来例にあっては、複数の噴出口を有しているが、複数の噴出口から同時に湯水を浴槽内に噴出するようになっている。
【０００４】
ここで、本発明者は切循環流路の分岐部分に換え弁装置を設けて、複数の噴出口からの湯水の噴出タイミングをずらして噴出したり、あるいは、複数の噴出口のうち任意の噴出口から湯水を噴出させたりすることを考えた。
【０００５】
ところが、浴槽設置用床パンの上に機器を載置するという従来の技術では、浴槽設置用床パンの上にポンプと電動切換え弁装置を配置する必要がある。このように浴槽設置用床パンの上にポンプと電動切換え弁装置とを並べて配置するには、浴槽のフランジ部のうち洗い場に沿った部分に横に並べて配置する場合と、浴槽のフランジ部のうち壁に沿った部分に横に並べて配置する場合とが考えられる。しかしながら前者においては、フランジ部を越えて洗い場と浴槽内部との出入をする必要上、フランジ部の巾を広くすることができないという制約があり、このため、浴槽のフランジ部のうち洗い場に沿った部分の下方位置の浴槽設置用床パン上にポンプや電動切換え弁装置を設置するだけの巾を確保できない。一方、後者においては、浴室によっては、壁と浴槽の槽部分との間の巾、つまりフランジ部の巾を広く取ることが可能で、このような場合には洗い場から見て前後方向にずらして浴槽設置用床パン上にポンプと電動切換え弁装置とを並べて設置することが可能である。しかしながら、この場合は、エプロンを外してポンプや電動切換え弁装置の保守、点検を行なう際、手前に位置する機器は保守、点検作業が容易であるが、後側にずれて位置している機器は保守、点検作業がし難いという問題がある。また、フランジ部は直線状となった部分よりもコーナ部分が面積が広いので、浴槽のフランジ部の洗い場側の両側のコーナ部分の下方位置の浴槽設置用床パン上にそれぞれポンプと電動切換え弁装置とを離して別々に設置することも考えられるが、この場合は、設置位置が左右両端部に離れているため、ポンプと電動切換え弁装置との相互の関連した保守、点検作業がし難しく、また、左右に離れているポンプと電動切換え弁装置とを配管で接続する必要があるため配管も長くなるという問題がある問題がある。
【特許文献１】特開平６−９０９８５号公報
【発明の開示】
【発明が解決しようとする課題】
【０００６】
本発明は上記の従来の問題点に鑑みて発明したものであって、浴槽のフランジ部の下方の空間を有効利用してポンプと電動切換え弁装置とをコンパクトに１箇所にまとめて収納でき、ポンプと電動切換え弁装置とを繋ぐ配管が短く且つポンプ及び電動切換え弁装置の保守、点検が容易に行なえる浴槽の機器の収納構造を提供することを課題とするものである。
【課題を解決するための手段】
【０００７】
上記課題を解決するために本発明に係る浴槽の機器の収納構造は、浴槽１の湯水を浴槽１に設けた吸込み口２から吸い込んで再び浴槽１に設けた噴出口３から噴出流として浴槽１内に噴出する循環流路４を設け、浴槽１に複数の噴出口３を設け、該循環流路４にポンプ５を設けると共に、循環流路４のポンプ５よりも下流側を複数の分岐流路６に分岐して各分岐流路６の端部をそれぞれ複数の噴出口３に接続し、上記複数の分岐流路６の分岐部分に複数の分岐流路６への湯水の流れを選択的に切換えるための電動切換え弁装置７を設け、浴槽１のフランジ部８のコーナ部分の下面部に木質の取付け用下地部材９を接着により固着し、電動切換え弁装置７を上記取付け用下地部材９にねじで取付けることで吊下げ、上記浴槽１のフランジ部８のコーナ部分の下方の上記電動切換え弁装置７の取付け部分より下方の浴槽設置用床パン２６上にポンプ５を載設し、上記電動切換え弁装置７とポンプ５とを循環流路４の一部を構成する配管２１により連通接続して成ることを特徴とするものである。
【０００８】
このような構成とすることで、フランジ部８のコーナ部分は直線部分に比べて面積が広いのでこの面積の広いフランジ部８のコーナ部分の下方空間を有効に利用して電動切換え弁装置７とポンプ５とを上下に配置して収納することで、１箇所にコンパクトにまとめて収納でき、ポンプ５と電動切換え弁装置７とを接続する配管を短くできると共に、ポンプ及び電動切換え弁装置の保守、点検作業が１箇所で容易に行なえる。しかも、浴槽１のコーナ部の外側位置に電動切換え弁装置７を配置して取付ける場合浴槽１の槽体１０の壁部に取付けようとしても槽体１０の壁部はコーナ部分で水平断面が弧状となっているため、この断面弧状となった壁部に電動切換え弁装置７を取付けるのは非常に困難であるが、フランジ部８の下面部はコーナ部分であっても略平坦面となっており、この平坦面となったフランジ部８の下面部に電動切換え弁装置７を取付けるので、浴槽１のコーナ部分に取付けると言えども簡単且つ確実に取付けることができる。しかも、フランジ部８の平坦な下面部に電動切換え弁装置７を取付けるに当たって、上記のように、木質の取付け用下地部材９を接着剤などで固着して、この木質の取付け用下地部材９にねじにより電動切換え弁装置７を取付けることで、ねじによる固着で簡単に取付けることができる。また、フランジ部８のコーナ部分の下面側に電動切換え弁装置７を吊下げ、この下方の浴槽設置用床パン２６上にポンプ５を載設し、上記電動切換え弁装置７とポンプ５とを循環流路４の一部を構成する配管２１により連通接続するので、浴槽１のフランジ部８のコーナ部分の下方空間に、電動切換え弁装置７とポンプ５とをそれぞれ上下に配設してフランジ部８と浴槽設置用床パン２６とに支持させて収納できる。
【発明の効果】
【００１１】
本発明は、フランジ部のコーナ部分の下面側に電動切換え弁装置を吊下げ、この下方の浴槽設置用床パン上にポンプを載設し、上記電動切換え弁装置とポンプとを循環流路の一部を構成する配管により連通接続するので、浴槽のフランジ部のコーナ部分の下方の広いスペースを有効利用して電動切換え弁装置とポンプとを上下に配設してコンパクトに１箇所にまとめて収納でき、ポンプと電動切換え弁装置とを繋ぐ配管が短くなり、また、電動切換え弁装置及びポンプの保守、点検が容易に行なえ、また、フランジ部のコーナ部分の下面部に木質の取付け用下地部材を接着により固着し、電動切換え弁装置を上記取付け用下地部材にねじで取付けることで吊下げるので、浴槽のコーナ部に取付けるといえども簡単且つ確実に取付けることができる。
【発明を実施するための最良の形態】
【００１２】
以下、本発明を添付図面に示す実施形態に基いて説明する。
【００１３】
図１、図２に示すように、浴槽１には、吸込み口２と複数の噴出口３（実施例では第１の噴出口３ａ、第２の噴出口３ｂ、第３の噴出口３ｃ）とが設けてあり、この吸込み口２と複数の噴出口３とを連通接続するための配管よりなる循環流路４が設けてある。
【００１４】
上記循環流路４の途中にはポンプ５が設けてあり、浴槽１内の湯水を吸込み口２から循環流路４に吸込んで噴出口３から噴出するようになっている。
【００１５】
循環流路４には更にポンプ５よりも下流側に電動切換え弁装置７が設けてあり、循環流路４はこの電動切換え弁装置７を介して複数の分岐流路６に分岐していて各分岐流路６の先端部がそれぞれ噴出口３に連通接続してあり、電動切換え弁装置７を駆動して上記複数
の分岐流路６のうちどの分岐流路６に湯水を流すかの切換えや流量調整を行い、各噴出口３における噴出、噴出停止の選択、噴出状態（流量や方向）の選択等を行なうようになっている。
【００１６】
また、各分岐流路６の先端の噴出口３の近く又は噴出口３部分にはエジェクタのような気体吸込み部（図示せず）が設けてあって、この気体吸込み部に気体供給ホースが接続してあって、空気や酸素富化膜を通過した高濃度酸素等の気体が供給され、湯水中に吸込まれて気体混合湯水として噴出口３から噴出するようになっている。
【００１７】
電動切換え弁装置７は図３、図４に示すように弁本体１１と、弁本体１１の孔１２に回動自在に嵌め込まれた回動弁体１３と、回動弁体１３を回動するためのモータ１４とより構成してある。
【００１８】
回動弁体１３には一端が軸方向の端部に開口した通水孔１５が設けてあり、通水孔１５の他端は回動弁体１３の側面部に設けた弁口１６に連通している。弁本体１１の孔１２の壁面における弁口１６の回動軌跡上の複数箇所にそれぞれ対応する位置に複数の流出口１７が設けてある（図４の実施形態には第１の流出口１７ａ、第２の流出口１７ｂ、第３の流出口１７ｃを周方向に隔設して設けた例が示してある）。
【００１９】
弁本体１１には回動弁体１３の通水孔１５に常時連通する流入孔１８が設けてあり、この流入孔１８は循環流路４の一部を構成する配管２１によりポンプ５と連通接続してある。また、弁本体１１の複数の流出口１７（第１の流出口１７ａ、第２の流出口１７ｂ、第３の流出口１７ｃ）にそれぞれ上記各分岐流路６（第１の分岐流路６ａ、第２の分岐流路６ｂ、第３の分岐流路６ｃ）を構成する配管が接続してある。図に示す実施形態では第１の流出口１７ａに第１の分岐流路６ａの一端部が連通接続してあると共に第１の分岐流路６ａの他端に第１の噴出口３ａに連通接続してあり、第２の流出口１７ｂに第２の分岐流路６ｂの一端部が連通接続してあると共に第２の分岐流路６ｂの他端に第２の噴出口３ｂに連通接続してあり、第３の流出口１７ｃに第３の分岐流路６ｃの一端部が連通接続してあると共に第３の分岐流路６ｃの他端に第３の噴出口３ｃに連通接続してある。
【００２０】
図５に示す実施形態では一つのノズル３１内部に第１の噴出口３ａと第２の噴出口３ｂがその噴出方向が交差するように設けてあり、更にノズル３１には第１の噴出口３ａと第２の噴出口３ｂから噴出される水流がぶつかって合流する合流部３２が設けてあり、ノズル３１の先端に合流部３２で合流した水流が噴出するノズル口３４が設けてある。第１の噴出口３ａを流れる流量と第２の噴出口３ｂを流れる流量を変えることで合流部３２で合流した水流のノズル口３４からの噴出方向が図５の矢印イ→矢印ロ→矢印ハというように変化することになる。
【００２１】
ここで、ポンプ５をオンにした状態で回動弁体１３をモータ１４で回動することで、弁口１６が回動弁体１３の回動により第１の流出口１７ａ、第２の流出口１７ｂ、第３の流出口１７ｃに順番に連通するようになっている。この場合、第１の流出口１７ａを例にとって説明すると、回動弁体１３の回動にしたがって、最初は第１の流出口１７ａの弁口１６との連通面積がゼロの状態から次第に広くなっていき、第１の流出口１７ａと弁口１６との連通面積が最大となり、その後、第１の流出口１７ａの弁口１６との連通面積が次第に狭くなっていって最後はゼロの状態となる。同様に、回動弁体１３の回動にしたがって、第２の流出口１７ｂも弁口１６との連通面積がゼロの状態から次第に広くなっていき、最大の連通面積となった後に、次第に狭くなっていって最後はゼロの状態となり、同様に、回動弁体１３の回動にしたがって、第３の流出口１７ｃも弁口１６との連通面積がゼロの状態から次第に広くなっていき、最大の連通面積となった後に、次第に狭くなっていって最後はゼロの状態となる。
【００２２】
上記のように各流出口１７の弁口１６との連通面積が変化していくのであるが、流出口１７の弁口１６との連通面積が変化すると、噴出口３から噴出する水流の水量が変化し、流速が変化することになる。つまり、上記連通面積が狭いと噴出口３から噴出する水量が少なく、流速も遅いが、連通面積が広くなっていくと噴出口３から噴出する水量が次第に多くなっていって流速が次第に速くなっていくものであり、逆に連通面積が狭くなっていくと噴出口３から噴出する水量が次第に減少していって流速が次第に遅くなっていくものである。
【００２３】
また、回動弁体１３を回動することで弁口１６が複数の流出口１７と順番に連通していって複数の噴出口３から順番に水流を噴出して浴槽１内で入浴している入浴者の身体の異なる部位に水流を当てて順番にマッサージするようになっている。
【００２４】
上記動作において、第１の流出口１７ａ、第２の流出口１７ｂ相互の流量を変化させていくことで、第１の噴出口３ａと、第２の噴出口３ｂを流れる流量が相互に変化していって合流した水流のノズル口３４からの噴出方向が変化するため、水流の向きがスイングすることになり、これにより、入浴者の身体の一部を位置を変えながらマッサージするようなスイングマッサージができるようになっている。
【００２５】
また、第３の噴出口３ｂは上記のようなスイングする水流を噴射するのではなく、ストレートの水流を入浴者の身体の他の一部に噴射してマッサージするようになっている。
【００２６】
上記のような構成の電動切換え弁装置７は、浴槽１のフランジ部８のコーナ部分の下面に取付ける。
【００２７】
上記例ではスイングマッサージとストレートマッサージとを設けた例で説明しているが、スイングマッサージのみ、あるいはストレートマッサージのみを設けたものであってもよい。
【００２８】
浴槽１は槽体１０の上開口の全外周縁部から外方向に向けて水平にフランジ部８を突設して構成してある。ここで、浴槽１は平面視において略矩形状をしているので、平面視におけるコーナ部分は４箇所あり、このため浴槽１のフランジ部８もコーナ部分は４箇所存在する。そして、一般的に槽体１０の平面視におけるコーナ部分は平面視弧状をしているためフランジ部８の内縁部のコーナ部分は平面視弧状をしているが、フランジ部８の外縁部のコーナ部分は浴室の壁との取り合いの関係で平面視でほぼ直角をしている。一方、フランジ部８の内縁部及び外縁部のコーナ部分以外の部分は平面視で略直線で互いに平行となっており、このため、フランジ部８のコーナ部分が最も平面視における面積が広くなり、フランジ部８の他の部位の下方空間に比べて巾広の空間となっている。したがって、本発明においては、この巾広となっているフランジ部８のコーナ部の下方空間に電動切換え弁装置７を配置してフランジ部８の下面に取付けるようになっている。また、電動切換え弁装置７を裏面に取付けるフランジ部８のコーナ部分は、フランジ部８の４つのコーナ部分のうち、洗い場２３側に位置する左右両コーナ部分のうちいずれか一方側、好ましくは、浴槽１に給水口を有するからん装置３０を設ける場合は、からん装置３０を設ける方に近い方のコーナ部分は避けてからん装置３０を取付け側でない方のコーナ部分側に電動切換え弁装置７を取付ける。これは、からん装置３０を取付ける側のフランジ部８の下方にはからん装置３０の一部が配置されると共にからん装置３０に接続される給水、給湯配管２９が配置されるので、スペース的にも余裕がなく、更に、ポンプ５、電動切換え弁装置７を保守、点検するのと、からん装置３０の保守、点検とは異なる作業となるにもかかわらず、これらが１箇所に集まっていると、個別の保守、点検作業がし難いが、このように離すことで個別の保守、点検作業がし易くなるためである。
【００２９】
フランジ部８の下面は略平坦面となっているので、フランジ部８のコーナ部分の下面に木質の板又は角材よりなる取付け用下地部材９を接着等により固着し、この取付け用下地部材９に電動切換え弁装置７をねじによる固着で取付けることで電動切換え弁装置７をフランジ部８に吊下げてある。
【００３０】
この場合、図３に示す実施形態では電動切換え弁装置７に金属製の取付けプレート２５をねじ２３により固着し、該取付けプレート２５をねじ２３により木質の取付け用下地部材９に取付ける例が示してあるが、取付けプレート２５を介在することなく電動切換え弁装置７を木質の取付け用下地部材９に直接ねじ２３で固着してもよい。
【００３１】
浴槽１のフランジ部８のコーナ部分の下方の空間には上記電動切換え弁装置７の取付け部分よりも更に下方にポンプ５が配設される。添付図面に示す実施形態では、電動切換え弁装置７の下方の浴槽設置用床パン２６上にポンプ５を載設してある（具体的には浴槽設置用床パン２６上に載置台２７を設置し、この該載置台２７にポンプ５を載設支持してある）。
【００３２】
このようにすることで、浴槽１のフランジ部８のコーナ部分の下方空間に、電動切換え弁装置７とポンプ５とを上下に配設して収納できる。ここで、平面視でフランジ部８の外端縁よりも内側に電動切換え弁装置７とポンプ５とが位置して外に飛び出さないようになっている。また、循環流路４を構成する配管もフランジ部８の下方空間に配置され、平面視でフランジ部８の外端縁よりも内側に位置している。
【００３４】
浴槽１と洗い場２３との境界にはフランジ部８の外端縁部から洗い場２３の床パンにかけてエプロン２４が着脱自在に取付けられる。したがって、エプロン２４を外すことで、ポンプ５、電動切換え弁装置７を１箇所で保守、点検できることになる。
【図面の簡単な説明】
【００３５】
【図１】本発明の一実施形態の正面図である。
【図２】同上の概略平面図である。
【図３】（ａ）は同上の電動切換え弁装置のフランジ部への取付けを示す正面から見た斜視図であり、（ｂ）は背面から見た斜視図である。
【図４】同上の電動切換え弁装置を示し、（ａ）は平面図であり、（ｂ）、（ｃ）、（ｄ）はそれぞれ動作説明図である。
【図５】同上のノズルを示す断面図である。
【符号の説明】
【００３６】
１  浴槽
２  吸込み口
３  噴出口
４  循環流路
５  ポンプ
６  分岐流路
７  電動切換え弁装置
８  フランジ部
９  取付け用下地部材
【図１】
0004760367.tif 000002
【図２】
0004760367.tif 000003
【図３】
0004760367.tif 000004
【図４】
0004760367.tif 000005
【図５】
0004760367.tif 000006